(57)【要約】【課題】集塵部内及び遠心分離部分の表面を清潔に保つことができる電気掃除機を提供する。【解決手段】一端が開口し他端が閉口した筒状の集塵容器１１０と、集塵容器１１０の開口に着脱可能に取り付けられ、吸気口１３０と吸引口１４０とが設けられた蓋部１２０と、蓋部１２０の吸引口１４０の集塵容器１１０側に設けられ、吸気口１３０からの吸気に含まれる塵を遠心分離する遠心分離部１５０と、を含む集塵部１００と、集塵容器１１０の内側全面を被い、吸気を通過しない第１の素材で形成された第１の袋部２１０と、底面の一部が第１の袋部２１０の底面２３０と係合され、遠心分離部１５０の外側全面を被い、所定の大きさ以上の塵を通過しない第２の素材で形成された第２の袋部２２０と、を含む集塵袋２００と、を有する電気掃除機。【選択図】図１
2014155539.tif 000002
【特許請求の範囲】
【請求項１】
一端が開口し他端が閉口した筒状の集塵容器と、
前記集塵容器の開口に着脱可能に取り付けられ、吸気口と吸引口とが設けられた蓋部と、
前記蓋部の吸引口の前記集塵容器側に設けられ、前記吸気口からの吸気に含まれる塵を遠心分離する遠心分離部と、
を含む集塵部と、
前記集塵容器の内側全面を被い、前記吸気を通過しない第１の素材で形成された第１の袋部と、
底面の一部が前記第１の袋部の底面と係合され、前記遠心分離部の外側全面を被い、前記吸気に含まれる所定の大きさ以上の塵を通過しない第２の素材で形成された第２の袋部と、
を含む集塵袋と、
を有することを特徴とする電気掃除機。
【請求項２】
前記集塵袋は、前記集塵部に装着されるまでは前記第２の袋部の周囲に前記第１の袋部が折り畳まれていることを特徴とする請求項１に記載の電気掃除機。
【請求項３】
一端が開口し他端が閉口した筒状の集塵容器と、
前記集塵容器の開口に着脱可能に取り付けられ、吸気口と吸引口とが設けられた蓋部と、
前記蓋部の吸引口の前記集塵容器側に設けられ、前記吸気口からの吸気に含まれる塵を遠心分離する遠心分離部と、
を含む集塵部と、
を有する電気掃除機の集塵袋であって、
前記集塵容器の内側全面を被い、前記吸気を通過しない第１の素材で形成された第１の袋部と、
底面の一部が前記第１の袋部の底面と係合され、前記遠心分離部の外側全面を被い、前記吸気に含まれる所定の大きさ以上の塵を通過しない第２の素材で形成された第２の袋部と、
を含むことを特徴とする電気掃除機の集塵袋。
【発明の詳細な説明】
【技術分野】
【０００１】
本発明は、サイクロン方式の電気掃除機及び電気掃除機の集塵袋に関する。
【背景技術】
【０００２】
電気掃除機は、手を汚さずに集塵部に溜まる塵を取り出すことを容易にするために、集塵部に集塵袋を置くことが考えられる。従来のサイクロン方式の電気掃除機は、例えば特許文献１に示すように、塵を吸い込むための吸気口が集塵部の横に設けられていることが多い。しかしながら、このようなサイクロン方式の電気掃除機では、集塵部に集塵袋を置くと、掃除中に集塵部と集塵袋との間に吸気口からの空気流が入り込みやすく、集塵袋が移動してしまい、集塵袋としての役割を果たすことができなくなるという問題がある。
【０００３】
この問題を解決するために、例えば特許文献２に示すようなサイクロン方式の電気掃除機では、吸気口を集塵部の上部に設け、集塵部内全体を集塵袋が被えるように構成されている。このようにすれば、掃除中も集塵部内の集塵袋が移動することなく、集塵袋を取り外すことにより集塵部に溜まった塵を捨てることが可能となり、集塵部が汚れずに済む。
【先行技術文献】
【特許文献】
【０００４】
【特許文献１】特開２０１０−２５２９９８号公報（図４）
【特許文献２】特開２００３−１４４３６１号公報（図１）
【発明の概要】
【発明が解決しようとする課題】
【０００５】
しかしながら、従来の方法では、集塵袋により集塵部は塵で直接汚れないが、吸気口からの吸気に含まれる塵を遠心分離する遠心分離（サイクロン）部分の表面には塵が付着してしまうという問題がある。
【０００６】
本発明は、上述した従来技術の問題点を解決するためになされたものであり、その目的は、電気掃除機の集塵部内全体及び吸気に含まれる塵を遠心分離する遠心分離部分の表面を集塵袋で被うことにより、集塵部内及び遠心分離部の表面を清潔に保つことができる電気掃除機及び電気掃除機の集塵袋を提供することである。
【課題を解決するための手段】
【０００７】
本発明のある態様による電気掃除機は、一端が開口し他端が閉口した筒状の集塵容器と、前記集塵容器の開口に着脱可能に取り付けられ、吸気口と吸引口とが設けられた蓋部と、前記蓋部の吸引口の前記集塵容器側に設けられ、前記吸気口からの吸気に含まれる塵を遠心分離する遠心分離部と、を含む集塵部と、前記集塵容器の内側全面を被い、前記吸気を通過しない第１の素材で形成された第１の袋部と、底面の一部が前記第１の袋部の底面と係合され、前記遠心分離部の外側全面を被い、前記吸気に含まれる所定の大きさ以上の塵を通過しない第２の素材で形成された第２の袋部と、を含む集塵袋と、を有することを特徴とする。
【０００８】
この構成によれば、電気掃除機の集塵部内全体及び吸気に含まれる塵を遠心分離する遠心分離部分の表面を集塵袋で被うことにより、集塵部内及び遠心分離部の表面を清潔に保つことができる。また、第１の袋部と第２の袋部とが底面で係合しているので、集塵袋を集塵部から取り出す際に第１の袋部と第２の袋部とが分離することがなく、集塵袋を集塵容器から取り出す際に、塵をこぼすこともなく、手や周囲を汚すこともないので作業性がよい。
【０００９】
上記電気掃除機において、前記集塵袋は、前記集塵部に装着されるまでは前記第２の袋部の周囲に前記第１の袋部を折り畳むようにしてもよい。
【００１０】
こうすれば、遠心分離部に第２の袋部の周りに第１の袋部を折り畳んだ状態の集塵袋を装着してから、集塵容器内で第１の袋部を広げればよく、集塵袋の装着作業を容易に行うことができる。
【００１１】
本発明のある態様による電気掃除機の集塵袋は、一端が開口し他端が閉口した筒状の集塵容器と、前記集塵容器の開口に着脱可能に取り付けられ、吸気口と吸引口とが設けられた蓋部と、前記蓋部の吸引口の前記集塵容器側に設けられ、前記吸気口からの吸気に含まれる塵を遠心分離する遠心分離部と、を含む集塵部と、を有する電気掃除機の集塵袋であって、前記集塵容器の内側全面を被い、前記吸気を通過しない第１の素材で形成された第１の袋部と、底面の一部が前記第１の袋部の底面と係合され、前記遠心分離部の外側全面を被い、前記吸気に含まれる所定の大きさ以上の塵を通過しない第２の素材で形成された第２の袋部と、を含むことを特徴とする。
【００１２】
この構成によれば、電気掃除機の集塵部内全体及び吸気に含まれる塵を遠心分離する遠心分離部分の表面を集塵袋で被うことにより、集塵部内及び遠心分離部の表面を清潔に保つことができる。また、第１の袋部と第２の袋部とが底面で係合しているので、集塵袋を集塵部から取り出す際に第１の袋部と第２の袋部とが分離することがなく、集塵袋を集塵容器から取り出す際に、塵をこぼすこともなく、手や周囲を汚すこともないので作業性がよい。
【発明の効果】
【００１３】
本発明によれば、電気掃除機の集塵部内全体及び吸気に含まれる塵を遠心分離する遠心分離部の表面を集塵袋で被うことにより、集塵部内及び遠心分離部分の表面を清潔に保つことができる。また、第１の袋部と第２の袋部とが底面で係合しているので、集塵袋を集塵部から取り出す際に第１の袋部と第２の袋部とが分離することがなく、集塵袋を集塵容器から取り出す際に、塵をこぼすこともなく、手や周囲を汚すこともないので作業性がよい。
【図面の簡単な説明】
【００１４】
【図１】本発明の第１の実施形態に係る電気掃除機の構成を示す側面断面図である。
【図２】本発明の第１の実施形態に係る集塵袋の構成を示す概略図である。
【図３】本発明の第１の実施形態に係る集塵袋を折り畳む過程を示す概略図である。
【図４】本発明の第１の実施形態に係る集塵袋を集塵部に取り付ける過程を示す概略図である。
【発明を実施するための形態】
【００１５】
以下、電気掃除機の実施形態について図面に従って説明する。以下に参照する各図において、他の図と同等部分は同一符号を付して説明する。
（第１の実施形態）
先ず、第１の実施形態に係る電気掃除機の構成について、図１を参照して説明する。図１は、第１の実施形態に係る電気掃除機の構成を示す側面断面図である。図１に示すように、電気掃除機は、集塵部１００と集塵袋２００と吸気パイプ１６０と吸引パイプ１７０とフィルタ１８０と吸引器１９０とから構成されている。
【００１６】
集塵部１００は、一端が開口し他端が閉口した筒状の集塵容器１１０と、集塵容器１１０の開口に着脱可能に取り付けられ、吸気口１３０と吸引口１４０とが設けられた蓋部１２０と、蓋部１２０の吸引口１４０の集塵容器１１０側に設けられ、吸気口１３０からの吸気に含まれる塵を遠心分離する遠心分離部（サイクロン部）１５０と、を含んでいる。蓋部１２０の吸気口１３０には吸気パイプ１６０が取り付けられ、吸引口１４０には吸引パイプ１７０が取り付けられている。吸引パイプ１７０は、フィルタ１８０を介してモーターやファンなどで構成された吸引器１９０と接続されている。なお、集塵容器１１０でも吸気口１３０からの吸気に含まれる塵を遠心分離するように構成してもよい。
集塵袋２００は、集塵容器１１０の内側全面を被い、吸気を通過しない第１の素材であるビニールなどで形成された第１の袋部２１０と、底面の一部２３０が第１の袋部２１０の底面と係合され、遠心分離部１５０の外側全面を被い、吸気に含まれる所定の大きさ以上の塵を通過しない第２の素材である不織布などで形成された第２の袋部２２０と、を含んでいる。所定の大きさ以上の塵とは、例えば綿塵や紙塵などの大きさを想定し、第２の袋部２２０は、これらの綿塵や紙塵などを通過せずに、第１の袋部２１０に落とすようにする。第１の袋部２１０と第２の袋部２２０とを係合するには、互いの面を接着する方法や凹ボタンと凸ボタンとをはめ合わせる方法などが考えられる。
【００１７】
次に、第１の実施形態に係る集塵袋の構成について、図２を参照して説明する。図２は、第１の実施形態に係る集塵袋の構成を示す概略図である。図２（Ａ）は、集塵袋２００の概略斜視図であり、図２（Ｂ）は、集塵袋２００に塵３００が溜まっている様子を示す側面断面図である。図２（Ｂ）に示すように、第１の袋部２１０は、第２の袋部２２０の高さよりも高く構成され、集塵容器１１０に装着されると、第１の袋部２１０の上部２１２は、集塵容器１１０の開口部で折り曲げることができる。また、集塵容器１１０の開口部の縁まで塵３００が溜まったとしても、集塵袋２００を集塵容器１１０から取り出す際に塵３００がこぼれ落ちる心配が無い。さらに、第１の袋部２１０は、ビニールなどで形成されているので、塵３００をこぼさずに第１の袋部２１０の入り口を結んで閉じることが可能である。
【００１８】
次に、第１の実施形態に係る集塵袋を折り畳む過程について、図３を参照して説明する。図３は、第１の実施形態に係る集塵袋を折り畳む過程を示す概略図である。
図２（Ａ）に示したように、第１の袋部２１０の外周は、第２の袋部２２０の外周よりも大きいので、第１の袋部２１０が広がったままの状態では、集塵袋２００を集塵容器１１０や遠心分離部１５０に取り付けることは難しい。そこで、集塵容器１１０や遠心分離部１５０に取り付ける前の（出荷時の）集塵袋２００は、図３（Ａ），（Ｂ）に示すように第２の袋部２２０の周りに第１の袋部２１０を巻き付けるようにして折り畳まれている。
図３（Ａ）に示すように、第１の袋部２１０は、図３（Ａ）において左側の部分を第２の袋部２２０に巻き付けるように折り畳む。次に、図３（Ｂ）に示すように、第１の袋部２１０は、図３（Ｂ）において右側の部分を第２の袋部２２０に巻き付けるように折り畳む。
【００１９】
次に、第１の実施形態に係る集塵袋を集塵部に取り付ける過程について、図４を参照して説明する。図４は、折り畳んだ集塵袋を集塵部に取り付ける過程を示す概略図である。
図３（Ｂ）に示した第２の袋部２２０の周りに第１の袋部２１０が折り畳まれた状態の集塵袋２００は、図４（Ａ）に示すように、蓋部１２０に取り付けられた遠心分離部１５０に装着される。次に、図４（Ｂ）に示すように、折り畳まれた状態で遠心分離部１５０に装着された集塵袋２００は、集塵容器１１０に挿入される。そして、集塵容器１１０に挿入された状態で折り畳まれた状態の第１の袋部２１０を開く。次に、集塵容器１１０の開口部の縁よりも高い第１の袋部２１０の部分２１２を集塵容器１１０の開口部の縁で折り曲げる。その後、蓋部１２０を集塵容器１１０に取り付ければ、集塵袋２００は、図１に示したような状態で装着が完了する。
【００２０】
以上に述べた第１の実施形態によれば、以下の効果が得られる。
第１の実施形態では、電気掃除機の集塵容器１１０内全面を第１の袋部２１０で被い、吸気に含まれる塵を遠心分離する遠心分離部１５０の表面を第２の袋部２２０で被うことにより、集塵容器１１０内及び遠心分離部１５０の表面を清潔に保つことができる。また、第１の袋部２１０と第２の袋部２２０とが底面２３０で係合しているので、集塵袋２００を集塵容器１１０から取り出す際に第１の袋部２１０と第２の袋部２２０とが分離することがなく、集塵袋２００を集塵容器１１０から取り出す際に、塵をこぼすこともなく、手や周囲を汚すこともないので作業性がよい。さらに、遠心分離部１５０に第１の袋部２１０を第２の袋部２２０の周りに折り畳んだ状態の集塵袋２００を装着してから、集塵容器１１０内で第１の袋部２１０を広げればよく、集塵袋２００の装着作業を容易に行うことができる。
【００２１】
（変形例１）
第１の実施形態では、集塵袋２００は、第１の袋部２１０と第２の袋部２２０とを底面の一部２３０で係合するように説明したが、例えば、第１の袋部２１０の底面に紐などを取り付け、その紐を第２の袋部２２０の底面に取り付けても良い。このようにすれば、集塵袋２００は、第２の袋部２２０の底面を第１の袋部２１０の底面よりも高い位置に設定することもできる。
【００２２】
（変形例２）
集塵袋２００は、例えば巾着袋のように第１の袋部２１０の開口部に紐を通し、紐を引くことにより開口部を縛れるようにしても良い。このようにすれば、電気掃除機の使用者は、集塵部１００から蓋部１２０を取り外した後、集塵容器１１０に集塵袋２００が収まった状態のまま、第１の袋部２１０の開口部に設けられた紐を引いて縛ることにより、塵をこぼすことなく、簡単に集塵袋２００を集塵容器１１０から取り出すことができる。
【００２３】
なお、本発明の範囲は、図示され記載された例示的な実施形態に限定されるものではなく、本発明が目的とするものと均等な効果をもたらすすべての実施形態をも含む。さらに、本発明の範囲は、請求項により画される発明の特徴の組み合わせに限定されるものではなく、すべての開示されたそれぞれの特徴のうち特定の特徴のあらゆる所望する組み合わせによって画されうる。
【産業上の利用可能性】
【００２４】
本発明は、サイクロン方式の電気掃除機に使用可能な集塵袋に利用することができる。
【符号の説明】
【００２５】
１００  集塵部
１１０  集塵容器
１２０  蓋部
１３０  吸気口
１４０  吸引口
１５０  遠心分離部
１６０  吸気パイプ
１７０  吸引パイプ
１８０  フィルタ
１９０  吸引器
２００  集塵袋
２１０  第１の袋部
２２０  第２の袋部
２３０  係合領域
３００  塵
【図１】
2014155539.tif 000003
【図２】
2014155539.tif 000004
【図３】
2014155539.tif 000005
【図４】
2014155539.tif 000006